(57)【要約】【課題】オイル供給タンク内に、供給に必要な量のオイルがリザーブタンクから自動的に補給されるようにし、補給作業の手間を省く。【解決手段】オイル供給タンク３０と、リザーブタンク７と、リザーブタンク７をオイル供給タンク３０の下方まで移動可能に載置する載置台６と、オイル供給タンク３０のオイルの残量検知手段５５と、リザーブタンク７のオイルをオイル供給タンク３０に補給するオイル補給手段４１と、リザーブタンク７のオイルの残量検知手段とを備える。【選択図】図５
2008037451.tif 000002
【特許請求の範囲】
【請求項１】
オイル供給対象物にオイルを供給するオイル供給タンクと、オイルが貯留されたリザーブタンクと、前記オイル供給タンク内のオイルが所定の残量となったことを検知する第１オイル残量検知手段と、該第１オイル残量検知手段の作動により、前記リザーブタンク内のオイルを所定量前記オイル供給タンクに補給するオイル補給手段と、前記リザーブタンク内のオイルの残量を検知する第２オイル残量検知手段とを備えることを特徴とするオイル供給装置。
【請求項２】
第２オイル残量検知手段がリザーブタンク内のオイルが空になったことを検知したときに、オイルが空になった旨を報知する報知手段を設けた請求項１に記載のオイル供給装置。
【請求項３】
リザーブタンクを、オイル供給タンクのほぼ下方に配置した請求項１または２に記載のオイル供給装置。
【請求項４】
オイル供給タンクを支持する基台に、リザーブタンクを載置する載置台を移動可能に設け、該載置台上に載置したリザーブタンクを、オイル供給タンクのほぼ下方の補給位置に向けて移動可能とした請求項３に記載のオイル供給装置。
【請求項５】
載置台のオイル供給タンク側への移動を補助する移動補助手段を備える請求項４に記載のオイル供給装置。
【請求項６】
リザーブタンクが、円形かつ上向きに凹入する糸底面を有するものとし、この糸底面を、載置台の上面に突設した円板状の載置板に上方より嵌合しうるようにした請求項１ないし５のいずれかに記載のオイル供給装置。
【請求項７】
載置板に、リザーブタンクの糸底面を回転自在に支持する複数の回転支持手段を設けた請求項６に記載のオイル供給装置。
【請求項８】
オイル補給手段が、リザーブタンクの上面に設けた給排油口部に挿脱可能な上下方向を向く吸引パイプを有するものとし、この吸引パイプを、昇降手段により上下方向に移動させうるようにした請求項１ないし７のいずれかに記載のオイル供給装置。
【請求項９】
給排油口部と吸引パイプとが上下に整合するように、リザーブタンクの位置決めを行う位置決め手段を設けた請求項８に記載のオイル供給装置。
【請求項１０】
位置決め手段が、載置台に立設された支柱の上端部の水平アームに上下に移動可能に取付けられ、リザーブタンク上面に設けた換気口部に下端が外嵌されるようにした筒状の位置決め部材としてなる請求項９に記載のオイル供給装置。
【請求項１１】
吸引パイプの外周面に、該吸引パイプがリザーブタンク内に下限位置まで挿入されたとき、リザーブタンクの給排油口部を上方より塞ぐ閉塞部材を取付けてなる請求項８ないし１０のいずれかに記載のオイル供給装置。
【発明の詳細な説明】
【技術分野】
【０００１】
本発明は、例えばガソリンスタンドやカー用品店等において、自動車のエンジンオイルを交換するときに用いられるオイル供給装置に関する。
【背景技術】
【０００２】
上記のようなエンジンオイルの交換に用いられる従来のオイル供給装置は、例えば特許文献１に記載されているように、オイル供給タンク（新油タンク）内のオイルを、ポンプにより吸い上げて、ポンプに接続した給油ホースにより、エンジンに供給するものが一般的である。
【０００３】
【特許文献１】特開平６−３４５１９５号公報
【発明の開示】
【発明が解決しようとする課題】
【０００４】
上記特許文献１に記載されているオイル供給装置のように、オイル供給タンクが１つしかないものでは、オイル供給タンク内のオイルの残量が少なくなった際には、新油の入ったドラム缶を装置付近まで運搬し、ポンプにより汲み上げてその都度オイル供給タンクに補給する必要があり、その作業が面倒である。特にエンジンオイルは、比較的粘性が高いので、補給作業に時間がかかる。
【０００５】
本発明は、上記問題を解決するためになされたもので、オイル供給タンク内に、供給に必要な量のオイルがリザーブタンクから自動的に補給されるようにし、補給作業の手間を省いて作業効率を向上させることができるようにしたオイル供給装置を提供することを目的としている。
【課題を解決するための手段】
【０００６】
上記目的を達成するために、本発明の請求項１に記載のオイル供給装置は、
オイル供給対象物にオイルを供給するオイル供給タンクと、オイルが貯留されたリザーブタンクと、前記オイル供給タンク内のオイルが所定の残量となったことを検知する第１オイル残量検知手段と、該第１オイル残量検知手段の作動により、前記リザーブタンク内のオイルを所定量前記オイル供給タンクに補給するオイル補給手段と、前記リザーブタンク内のオイルの残量を検知する第２オイル残量検知手段とを備えることを特徴としている。
この特徴によれば、オイル供給タンク内のオイルが所定の残量となったことを、第１オイル残量検知手段が検知することにより、リザーブタンク内のオイルが、オイル補給手段をもって所定量、オイル供給タンクに補給されるので、補給作業の手間が省け、作業能率が向上する。
また、リザーブタンクのオイルの残量を検知する第２オイル残量検知手段を有しているので、オイル供給タンクのオイルがなくなる前に、予め新油をリザーブタンクに補充したり、新油が貯蓄されたリザーブタンクに交換したりすることができる。
【０００７】
本発明の請求項２に記載のオイル供給装置は、請求項１に記載のオイル供給装置であって、
第２オイル残量検知手段がリザーブタンク内のオイルが空になったことを検知したときに、オイルが空になった旨を報知する報知手段を設けたことを特徴としている。
この特徴によれば、リザーブタンク内のオイルが空になると、報知手段により報知されるので、リザーブタンク内のオイルが空になったことを作業者が遠くからでも即座に知ることができ、リザーブタンクへのオイルの補充又はリザーブタンクの交換を速やかに行うことができる。
【０００８】
本発明の請求項３に記載のオイル供給装置は、請求項１または２に記載のオイル供給装置であって、
リザーブタンクを、オイル供給タンクのほぼ下方に配置したことを特徴としている。
この特徴によれば、オイル供給タンクとリザーブタンクとがほぼ上下方向に並ぶので、オイル供給装置の設置スペースが小さくて済む。
【０００９】
本発明の請求項４に記載のオイル供給装置は、請求項３に記載のオイル供給装置であって、
オイル供給タンクを支持する基台に、リザーブタンクを載置する載置台を移動可能に設け、該載置台上に載置したリザーブタンクを、オイル供給タンクのほぼ下方の補給位置に向けて移動可能としたことを特徴としている。
この特徴によれば、載置台を移動させることにより、オイル供給タンクが障害とならずに新油の補充やリザーブタンクの交換を容易に行うことができる。
【００１０】
本発明の請求項５に記載のオイル供給装置は、請求項４に記載のオイル供給装置であって、
載置台のオイル供給タンク側への移動を補助する移動補助手段を備えることを特徴としている。
この特徴によれば、重量のあるリザーブタンクを載置した載置台のオイル供給タンク側への移動が移動補助手段により補助されるので、リザーブタンクの交換作業を能率的に行えるとともに、作業者の労力が軽減される。
尚、前記移動補助手段とは、載置台のオイル供給タンク側への移動を補助しうるものであれば、完全に自動的に移動させるものだけでなく、例えば載置台をオイル供給タンク側に向けて付勢する付勢手段等であってもよい。
【００１１】
本発明の請求項６に記載のオイル供給装置は、請求項１ないし５のいずれかに記載のオイル供給装置であって、
リザーブタンクが、円形かつ上向きに凹入する糸底面を有するものとし、この糸底面を、載置台の上面に突設した円板状の載置板に上方より嵌合しうるようにしたことを特徴としている。
この特徴によれば、載置台に載置したリザーブタンクを、水平方向に滑動したりするのを防止して、安定的に移動させることができる。
【００１２】
本発明の請求項７に記載のオイル供給装置は、請求項６に記載のオイル供給装置であって、
載置板に、リザーブタンクの糸底面を回転自在に支持する複数の回転支持手段を設けたことを特徴としている。
この特徴によれば、載置台上で重量のあるリザーブタンクを回転させうるので、それに設けられた給排油口部とオイル補給手段との位置合わせが容易となる。
【００１３】
本発明の請求項８に記載のオイル供給装置は、請求項１ないし７のいずれかに記載のオイル供給装置であって、
オイル補給手段が、リザーブタンクの上面に設けた給排油口部に挿脱可能な上下方向を向く吸引パイプを有するものとし、この吸引パイプを、昇降手段により上下方向に移動させうるようにしたことを特徴としている。
この特徴によれば、オイル補給手段の吸引パイプを昇降手段により上下させて、リザーブタンクの給排油口部に自動的に挿脱することができるので、作業能率が向上するとともに作業者の労力が軽減される。
【００１４】
本発明の請求項９に記載のオイル供給装置は、請求項８に記載のオイル供給装置であって、
給排油口部と吸引パイプとが上下に整合するように、リザーブタンクの位置決めを行う位置決め手段を設けたことを特徴としている。
この特徴によれば、リザーブタンクの給排油口部と吸引パイプとが、位置決め手段により正確に位置決めされるので、昇降手段により吸引パイプを下降させた際に、リザーブタンクの給排油口部よりスムーズに挿入することができる。
【００１５】
本発明の請求項１０に記載のオイル供給装置は、請求項９に記載のオイル供給装置であって、
位置決め手段が、載置台に立設された支柱の上端部の水平アームに上下に移動可能に取り付けられ、リザーブタンク上面に設けた換気口部に下端が外嵌されるようにした筒状の位置決め部材としたことを特徴としている。
この特徴によれば、筒状の位置決め部材を、リザーブタンク上面の換気口部に上方により外嵌するだけでよく、またリザーブタンク側には、何ら位置決め用の加工等を施したりする必要もないので、位置決め作業が容易であるとともに、安価な位置決め手段となる。
【００１６】
本発明の請求項１１に記載のオイル供給装置は、請求項８ないし１０のいずれかに記載のオイル供給装置であって、
吸引パイプの外周面に、該吸引パイプがリザーブタンク内に下限位置まで挿入されたとき、リザーブタンクの給排油口部を上方より塞ぐ閉塞部材を取り付けたことを特徴としている。
この特徴によれば、吸引パイプと給排油口部との間に形成される隙間が、閉塞部材により塞がれるので、オイルの補給時に、ゴミや雨水等がリザーブタンク内に入り込む恐れがない。
【発明を実施するための最良の形態】
【００１７】
以下、本発明の実施形態を図面に基づいて説明する。
【００１８】
図１は、本発明のオイル供給装置の正面図、図２は、右側面図、図３は、左側面図、図４は、平面図、図５は、オイル補給手段を下降させたときの正面図、図６は、図４のＶＩ−ＶＩ線に沿う拡大縦断正面図、図７は、位置決め部材によりドラム缶を位置決めした状態の要部の拡大断面図、図８は、支持杆への吸引パイプ取付部の拡大正面図である。
【００１９】
オイル供給装置の基台１は、左右の側部フレーム２の対向面間に複数の横フレーム３により総合することにより、後部側が若干右方に拡幅する平面視枠状に形成され、その後部側を除いた上面には、前端部に、基台１の前端より前傾状に突出する傾斜板４ａを有するとともに、中央部に、前半部が半円形をなす平面視ほぼＵ字状の凹入部４ｂが形成された上面板４が固着されている。
【００２０】
図４及び図６に示すように、基台１の前後の端部に除いた中央部には、互いの対向面に外側方に凹入するガイド溝５ａが形成された左右１対のガイドレール５、５が、前後複数の横フレーム３の上面に固着されている。
【００２１】
６は、新油のリザーブタンクであるドラム缶７を載置する載置台で、上記上面板４の半円部とほぼ同径で、かつドラム缶７の直径よりも大径の基板８の上面中央に、ドラム缶７の糸底面７ａが遊嵌可能な、その凹入深さよりも若干厚肉の円形の載置板９を、複数のボルト１０により同心状に固着して構成されている。
【００２２】
上記基板８の下面には、前後方向を向く左右１対のスライドレール１１、１１が固着され、両スライドレール１１は、上記左右のガイドレール５のガイド溝５ａに、基板８と上面板４との上面が同一面をなすようにして、前後方向に摺動可能に嵌合されている。
【００２３】
載置台６の中央部の下方には、図２にも示すように、これを前後方向に往復移動させる。往復移動手段、例えば空気圧又は油圧等の流体圧シリンダ１２が、そのシリンダケース１２ａの前端を、最前端の横フレーム３にブラケット１３をもって固定するとともに、ピストンロッド１２ｂの後端を、基板８の後端部の下面に、ブラケット１４により固定して設けられている。これにより、載置台６は、ピストンロッド１２ｂのストロークに対応して、図４の実線で示すように、上面板４の凹入部４ｂの前端と近接する前限位置から、２点鎖線で示すように、基台１の後端付近までの間を、前後に往復移動しうるようになっている。つまり、載置台６をオイル供給タンク３０側へ完全に自動で移動させる流体圧シリンダ１２は、載置台６のオイル供給タンク３０側への移動を補助する本発明の移動補助手段を構成している。
【００２４】
図４及び図６に示すように、載置台６における載置板９の外周部に、円周方向に９０°の間隔をもって形成された４個の嵌合孔１５内には、ドラム缶７の糸底面７ａを回転自在に支持する鋼球１６ａを有する回転支持手段、すなわちベアリングユニット１６が圧嵌されている。
【００２５】
図１及び図３に示すように、基板８の後端部中央の上面には、位置決め支柱１７の下端が固着され、その上端に固着された前方を向く支持アーム１８には、図７に拡大して示すようなドラム缶７の位置決め部材１９が取り付けられている。この位置決め部材１９は、支持アーム１８に上下動可能に嵌合された円筒軸２０と、円筒軸２０の上端部に、それと直交する方向に貫設された係止ピン２１と、円筒軸２０の下端に下方より内嵌され、ピン２２により取外し可能に連結された、ドラム缶７の換気口部７ｂに外嵌可能な嵌合筒２３と、円筒軸２０の上端に固着された把手２４とからなっている。
【００２６】
位置決め部材１９により、載置台６上に載置したドラム缶７の位置決めをするには、まず図７の２点鎖線で示すように、位置決め部材１９全体を把手２４を持って引き上げ、ドラム缶７を載置板９のベアリングユニット１６により回転させて、換気口部７ｂが位置決め部材１９の下方に位置するようにする。
【００２７】
次いで、位置決め部材１９を、その係止ピン２１が支持アーム１８に形成した、上方に開口する左右方向を向く係止溝２５と平行をなして対向する位置まで回転させた後、実線で示すように、下方に移動し、嵌合筒２３を換気口部７ｂに外嵌すると同時に、係止ピン２１を係止溝２５に嵌合する。これにより、ドラム缶７は、載置台６上での回転が防止されるとともに、前後左右の位置決めがなされる。また同時に換気口部７ｂと対向する前方に設けられている給排油口部７ｃの前後方向の位置決めもなされる。
【００２８】
このようにして、ドラム缶７の位置決めをした後、位置決め部材１９は支持アーム１８より取り外され、その代わりに、図３に示すような、ドラム缶７内のオイルの残量を検知するオイル残量検知手段２６が取り付けられる。このオイル残量検知手段２６は、ドラム缶７内の内底面付近まで達する長さのエアパイプ２６ａと、換気口部７ｂのめねじ孔に螺合することにより、エアパイプ２６ａを固定する固定金具２６ｂと、エアパイプ２６ａ内の圧力を検出する圧力センサ及びこれにより警報を発する（報知する）報知手段（図示略）とを備える公知の気泡式のもの（例えばフジコントロール社製）である。
【００２９】
支持アーム１８に挿通して保持されるエアパイプ２６ａの上端部の空気導入口部２７は、位置決め支柱１７の上端まで配管されたエア供給管２８の出口端に接続される（図３の２点鎖線参照）。
【００３０】
オイルの残量は、ドラム缶７の内底面と近接する付近まで挿入したエアパイプ２６ａに、一定量の空気を送り込み、その空気がエアパイプ２６ａの下端から気泡となって排出されるとき、エアパイプ２６ａ内の空気圧はオイルの残量によって変化するという原理に基づいて検出される。従って、ドラム缶７内のオイルが空になると、空気圧が急に低下するため、それを速やかに検出して警報を発することができる。
【００３１】
基台１の後端部の上面には、前後左右に並ぶ平面視Ｌ字状の４本の支柱２９が立設され、それらの上端部における互いの対向面間には、左右方向に長い箱形のオイル供給タンク３０の下端部が、ドラム缶７を基台１の後限まで移動した際に、その上方に位置するように固着されている。オイル供給タンク３０の容積は、ドラム缶７の容積（２００リットル）よりも大とされている。
【００３２】
オイル供給タンク３０の左方寄りの上面に設けられた給油口部３１には、オイル供給対象物、例えば自動車のエンジンに交換用オイルを供給するオイル供給手段３２が取り付けられている。このオイル供給手段３２は、図１に示すように、オイル供給タンク３０の内底面と近接するまで挿入された吸引パイプ３３と、ポンプ３４と、給油ホース３５とを備えている。
【００３３】
図１〜図４に示すように、右側前部の支柱２９に固着された上下２個のブラケット３６には、上下方向を向く支持部材３７が取り付けられ、この支持部材３７には、昇降手段、例えば、空気圧又は油圧により作動する流体圧シリンダ３８が、ピストンロッド３８ａを上方に向けて固定されている。このピストンロッド３８ａの上端には、左右方向を向いて水平をなすとともに、左端部が載置台６の左右方向の中央よりも若干左方に位置する長さの支持杆３９の右端部が固定されている。
【００３４】
上部のブラケット３６における流体圧シリンダ３８のやや右方には、上下方向を向くガイドロッド４０の下端が固着されている。このガイドロッド４０の上端部は、上記支持杆３９の右端部に上下に摺動可能に嵌合されており、ピストンロッド３８ａが伸縮して支持杆３９が昇降する際、ガイドロッド４０に案内されて安定して昇降しうるようになっている。
【００３５】
４１は、ドラム缶７のオイルをオイル供給タンク３０に補給するためのオイル補給手段で、エア駆動式のポンプ４２と、吸引パイプ４３と、それらを接続する接続ホース４４とを備えている。ポンプ４２は、右側前部の支柱２９の上端部に固着されたブラケット４５に、上下方向を向くように取り付けられている。
【００３６】
吸引パイプ４３は、その上端部が、上記支持杆３９の左端部に、次のようにして取り付けられている。図８に拡大して示すように、吸引パイプ４３は、支持杆３９に設けた支持孔４６に上下摺動自在に挿通され、上端部の拡径ストッパ４７が支持杆３９の上面に当接することにより、垂下状態で支持されている。
【００３７】
支持杆３９の下面と、その下方において吸引パイプ４３に取り付けられたばね受け４８との間には、圧縮コイルばね４９が縮設され、吸引パイプ４３は、圧縮コイルばね４９を撓ませて若干上方に移動しうるように支持されている。吸引パイプ４３は、前述した要領で位置決めしたドラム缶７を基台１の後限まで移動したとき、その給排油口部７ｃの中心と整合する上方に位置するように支持されている。
【００３８】
吸引パイプ４３の上方寄りには、ゴム又はエラストマ等よりなる傘状断面の閉塞部材５０が取り付けられ、この閉塞部材５０は、図８に示すように、吸引パイプ４３を、ドラム缶７内に下限位置まで挿入した際、その給排油口部７ｃの上端に当接してこれを覆い、ゴミや雨水等がドラム缶内に入り込むのを防止しうるようになっている。この当接時において、吸引パイプ４３は、圧縮コイルばね４９を圧縮させて若干上方に移動し、支持杆３９に曲げ荷重が作用するのを防止している。
【００３９】
ポンプ４２の吐出口に一端が接続された補給ホース５１の他端は、オイル供給タンク３０の上面の補給口部５２に接続されている。また、５３は、オイル供給タンク３０の上面に取り付けられた下向きＪ字状の換気パイプである。
【００４０】
オイル供給タンク３０の上面の左端部に設けられた取付口部５４には、図１に示すように、オイル供給タンク３０内のオイルの残量を検知するオイル残量検知手段５５が取り付けられている。このオイル残量検知手段５５も、上記ドラム缶７のオイル残量検知手段２６と同様、エアパイプ５５ａを有する気泡式のもので、これと同じ原理でオイル供給タンク３０内のオイルが空になったことを、図示しない圧力センサで検出することができる。
【００４１】
このオイル残量検知手段５５により、オイル供給タンク３０のオイルが空になったことを検知したとき、オイル補給手段４１のポンプ４２が所定時間作動するように、図示しない制御装置により制御されるようになっている。
【００４２】
次に、上記実施形態のオイル供給装置の作用について説明する。
【００４３】
まず使用に先立って、空のオイル供給タンク３０にドラム缶７より新油を補給するには、新油の入ったドラム缶７を基台１まで運搬し、その糸底面７ａを載置台６における載置板９に嵌合して支持する。
【００４４】
次いで、ドラム缶７を回転させ、位置決め部材１９により前述した要領で位置決めした後、位置決め部材１９を取外して、ドラム缶７にオイル残量検知手段２６を取り付ける。
【００４５】
次いで、流体圧シリンダ１２を作動させて、載置台６及びそれに載置したドラム缶７を、図２、図３の２点鎖線で示すように、基台１の後限、つまり、オイル供給タンク３０のほぼ真下の補給位置まで移動させる。このとき、ドラム缶７の給排油口部７ｃと、オイル補給手段４１の吸引パイプ４３とが上下に整合するので、昇降用の流体シリンダ３８を縮退する方向に作動させて支持杆３９を下限まで下降させると、図５に示すように、吸引パイプ４３は、自動的に給油口部７ｃよりドラム缶７内に挿入される。
【００４６】
この状態で、オイル補給手段４１のポンプ４２を作動させ、ドラム缶７内のオイルを、全量オイル供給タンク３０に補給する。これにより、オイル補給装置の使用が可能となる。
【００４７】
空になったドラム缶７は、上記と逆の手順で載置台６から下し、再度、新油の入ったドラム缶７を、上記と同じ手順でオイル供給タンク３０の下方にセットし、吸引パイプ４３を挿入しておく。
【００４８】
使用の途中で、オイル残量検知手段５５が、オイル供給タンク３０内のオイルが所定量以下、例えば下限レベル（ドラム缶７内に所定量のオイルが残量するレベル）になったことを検知すると、即座にオイル補給手段４１のポンプ４２が作動し、ドラム缶７内の所定量のオイルがオイル供給タンク３０内に自動的に補給される。また、ドラム缶７のオイルが空になると、オイル残量検知手段２６が作動するので、次の新たなドラム缶７に交換すればよい。
【００４９】
このように、上記実施形態のオイル供給装置においては、オイル供給タンク３０内のオイルが下限レベル以下になったことが検知されると、直ちにドラム缶７内の所定量のオイルが自動的に補給されるので、補給作業の手間が省け、作業能率が向上する。また、この下限レベルとは、例えばドラム缶７を交換している間にオイル供給タンク３０内のオイルがオイル供給対象物に供給され続けても、オイルが完全に無くなることがない程度の量のオイルが残量するレベルであることが好ましく、このようにすれば、オイル供給対象物への交換用オイルの供給が、ドラム缶７の交換中に途絶えることを回避できる。
【００５０】
また、ドラム缶７のオイルが空になると、オイル残量検知手段２６が作動し、報知手段が警報を発するので、オイル供給タンク３０のオイルがなくなる前に、予め新油の入ったドラム缶に速やかに交換しておくことができる。
【００５１】
なお、上記実施形態では、オイル供給タンク３０のオイルが下限レベル以下になったことをオイル残量検知手段５５が検知したときに、ドラム缶７のオイルが全量補給されるようにしているため、オイル供給タンク３０のオイルが完全にからになる前にドラム缶７からオイルが補給されるため、オイルの供給が途絶えることが防止されているが、例えば空になったときにポンプ４２が作動して、一定量のオイルがドラム缶７より補給されるようにしてもよい。さらに、オイル残量検知手段５５による残量の検知を、下限レベルの検知でなく、例えば残量が半分以下となったことを検知したときにオイルがドラム缶７から補給されるようにしてもよい。
【００５２】
このような際は、オイル残量検知手段５５の圧力センサの設定値を変え、オイル供給タンク３０内のオイルの残量が予め定めた所定量となったとき、圧力センサからの信号により、ポンプ４２を一定時間だけ作動するように制御すればよい。
【００５３】
ドラム缶７及びオイル供給タンク３０のオイル残量検知手段２６、５５は、上記気泡式の-外、例えばフロート式の油面センサ等を用いることもできる。
【００５４】
また、前記実施形態のオイル供給装置は、ドラム缶７及びオイル供給タンク３０は上下方向に配設されていたが、床面等に互いに水平方向に並設してもよい。さらに、ドラム缶７をオイル供給タンク３０の上方に配置してもよい。
【００５５】
さらに、前記実施形態では、載置台６は、流体圧シリンダ１２により、図４の実線で示す前限位置から、２点鎖線で示す補給位置との間を前後に往復移動しうるようになっていたが、本発明は、載置台６を自動的に前後方向に移動させるものに限定されるものではなく、少なくとも載置台６のオイル供給タンク３０側への移動、すなわち、オイルが充満された新規なドラム缶７を補給位置まで移動させる際に該移動を補助しうるものであれば、例えば載置台６をオイル供給タンク３０側に向けて付勢する付勢手段、例えばバネやガススプリング等を適用してもよい。
【図面の簡単な説明】
【００５６】
【図１】本発明のオイル供給装置の正面図である。
【図２】同じく右側面図である。
【図３】同じく左側面図である。
【図４】同じく平面図である。
【図５】同じくオイル補給手段を下降させたときの正面図である。
【図６】図４のＶＩ−ＶＩ線に沿う拡大縦断正面図である。
【図７】位置決め部材によりドラム缶を位置決めした状態の要部の拡大断面図である。
【図８】支持杆への吸引パイプ取付部の拡大正面図である。
【符号の説明】
【００５７】
１                基台
６                載置台
７                ドラム缶（リザーブタンク）
７ａ              糸底面
７ｂ              換気口部
７ｃ              給排油口部
１２              流体圧シリンダ（往復移動手段）
１６              ベアリングユニット（回転支持手段）
１７              位置決め支柱
１９              位置決め部材（位置決め手段）
２６              オイル残量検知手段（第２オイル残量検知手段）
３０              オイル供給タンク
３２              オイル供給手段
３８              流体圧シリンダ（昇降手段）
４１              オイル補給手段
４３              吸引パイプ
５０              閉塞部材
５５              オイル残量検知手段（第１オイル残量検知手段）
【図１】
2008037451.tif 000003
【図２】
2008037451.tif 000004
【図３】
2008037451.tif 000005
【図４】
2008037451.tif 000006
【図５】
2008037451.tif 000007
【図６】
2008037451.tif 000008
【図７】
2008037451.tif 000009
【図８】
2008037451.tif 000010